(57)【要約】      （修正有）【課題】より簡便な態様で消臭又は芳香機能を付与されたスライドファスナーを提供する。【解決手段】スライドファスナー１００の裏面には、消臭性を有する消臭テープ４０が設けられている。消臭テープ４０は、好適には、スライドファスナー１００のファスナーテープ８１の裏面に固着する。消臭テープ４０をスライドファスナー１００のファスナースライダー９０の裏面の凹部に設けても良い。消臭テープ４０に代えて、または、これと共に芳香テープを用いても良い。【選択図】図３
0003176293.tif 000002
【実用新案登録請求の範囲】
【請求項１】
消臭性を有する消臭テープ（４０）が裏面に設けられたスライドファスナー。
【請求項２】
前記消臭テープ（４０）が、当該スライドファスナー（１００）のファスナーテープ（８１）の裏面に固着している、請求項１に記載のスライドファスナー。
【請求項３】
前記消臭テープ（４０）が、当該スライドファスナー（１００）の幅方向においてファスナーエレメント（７１）寄りに設けられている、請求項１又は２に記載のスライドファスナー。
【請求項４】
前記消臭テープ（４０）が、当該スライドファスナー（１００）の長手方向に延在する長尺体であり、当該スライドファスナー（１００）の長手方向の一端と他端との間に連続的に存在する、請求項１乃至３のいずれか一項に記載のスライドファスナー。
【請求項５】
前記消臭テープ（４０）が、当該スライドファスナー（１００）のファスナーテープ（８１）の両端部において設けられる補強テープ（３０）により部分的に被覆されている、請求項１乃至４のいずれか一項に記載のスライドファスナー。
【請求項６】
一組の前記消臭テープ（４０）を備える請求項１乃至５のいずれか一項に記載のスライドファスナーであって、
一組の前記消臭テープ（４０）が、当該スライドファスナー（１００）の一組のファスナーテープ（８１）各々に設けられている、スライドファスナー。
【請求項７】
前記消臭テープ（４０）が、当該スライドファスナー（１００）のファスナースライダー（９０）の裏面の凹部（９１１）に設けられている、請求項１に記載のスライドファスナー。
【請求項８】
前記ファスナースライダー（９０）が、前記凹部（９１１）からの前記消臭テープ（４０）の離脱を規制する規制部材（９１２）を備えており、当該規制部材（９１２）は、消臭テープ（４０）の一部が露呈するようにファスナースライダー（９０）に固定されている、請求項７に記載のスライドファスナー。
【請求項９】
前記消臭テープ（４０）は、消臭成分を含有した樹脂層を少なくとも含む、請求項１乃至８のいずれか一項に記載のスライドファスナー。
【請求項１０】
当該スライドファスナー（１００）の一組のファスナーテープ（８１）は、それぞれ、表面及び裏面を有し、対向する内側縁部には、一対のファスナーエレメント（７１）が設けられており、
当該スライドファスナー（１００）のファスナースライダー（９０）は、当該ファスナースライダー（９０）の引手取付部（９４）が前記ファスナーテープ（８１）の表側に配されるように一対の前記ファスナーエレメント（７１）に挿通されている、請求項１乃至９のいずれか一項に記載のスライドファスナー。
【請求項１１】
芳香性を有する芳香テープ（４５）が裏面に設けられたスライドファスナー。
【請求項１２】
請求項１乃至１１のいずれか一項に記載のスライドファスナー（１００）が縫着された物品（２００）であって、前記スライドファスナー（１００）の開閉により物の出し入れが可能である、物品。
【考案の詳細な説明】
【技術分野】
【０００１】
本考案は、スライドファスナー及びこれが縫着した物品に関し、特に消臭及び／又は芳香機能を具備するものに関する。
【背景技術】
【０００２】
スライドファスナーは、鞄、財布、衣類、袋類等の多種多様な物品に用いられている。このような多様な物品の中には「臭い対策」を施す強い要望が存在するものがあり、消臭剤又は芳香剤を物品のタグに対して取付ける等の簡易的な対策が為されている場合がある。
【０００３】
特許文献１には、消臭剤を含有する皮膜を付着させたファスナーが開示されている。同文献の段落００１８〜００２１には、テープ２及び係合部材３の表面への薬剤の被着に関する説明がなされている。端的には、被膜の形成方法に関して、溶媒中に薬剤とバインダーを入れ、この溶液中にファスナーを浸漬してその表面にバインダーと薬剤を付着し、そして加熱乾燥することが説明されている。
【０００４】
特許文献２には、芳香剤テープが開示されている。同文献の図１に示すように、テープ１の一面側に多数の芳香剤マイクロカプセル２が接着剤３を介して設けられ、他方の面には、離形紙５で保護された接着剤層４が設けられている。この芳香剤テープの使用方法は、次のとおりである。テープ１を必要な長さに切断し、離形紙５を剥離し、接着剤層４で所定位置に貼り付け、芳香が必要なときにマイクロカプセル２に圧力をかけて、カプセル膜７を破き、これにより、カプセル内の芳香剤６を大気に晒す。
【０００５】
スライドファスナーとは無関係であるが、特許文献３には、衣服に対して消臭テープを貼り付けることが開示されている。
【先行技術文献】
【特許文献】
【０００６】
【特許文献１】特開２００４−１６７５１号公報
【特許文献２】実開昭６２−１３７０３９号公報
【特許文献３】登録実用新案公報第３１１８６４０号公報
【考案の概要】
【考案が解決しようとする課題】
【０００７】
スライドファスナーが縫着される物品に消臭又は芳香機能を付与する際、スライドファスナー自体に対して同機能を付与することで、スライドファスナーの購買者／最終商品の購入者の作業負担を低減することができる。特許文献１に開示の方法を活用することにより、スライドファスナー自体に同機能を付与することが考えられる。しかしながら、特許文献１に開示の製法は、複雑な工程を経る必要がある。また、スライドファスナーの個別又は一般的な製造工程を考慮すると、特許文献１に開示の方法が適さない場合がある。例えば、スライドファスナーの染色工程前にスライドファスナーに被膜を形成すると、染色工程時にその被膜が劣化してしまうおそれがある。
【０００８】
上述の説明から明らかなように、より簡便な態様でスライドファスナーに消臭又は芳香機能を付与することが強く望まれている。なお、上述の特許文献１との対比説明は、本願考案の課題を説明するために例示的に述べたものであり、その説明をもって本願考案を限定解釈することは許されない。
【課題を解決するための手段】
【０００９】
本考案に係るスライドファスナーは、消臭性を有する消臭テープが裏面に設けられたスライドファスナーである。スライドファスナーの製造時に簡便な態様でスライドファスナーに消臭機能を付与することができる。
【００１０】
前記消臭テープが、当該スライドファスナーのファスナーテープの裏面に固着している、と良い。広い範囲で消臭効果を確保することが可能になる。
【００１１】
前記消臭テープが、当該スライドファスナーの幅方向においてファスナーエレメント寄りに設けられている、と良い。スライドファスナーの口から臭いが漏れることを抑制できる。
【００１２】
前記消臭テープが、当該スライドファスナーの長手方向に延在する長尺体であり、当該スライドファスナーの長手方向の一端と他端との間に連続的に存在する、とよい。より十分に広い範囲で消臭効果を得ることができる。
【００１３】
前記消臭テープが、当該スライドファスナーのファスナーテープの両端部において設けられる補強テープにより部分的に被覆されている、と良い。ファスナーテープからの消臭テープの剥離を抑制することができる。
【００１４】
一組の前記消臭テープを備える上述のいずれかに記載のスライドファスナーであって、一組の前記消臭テープが、当該スライドファスナーの一組のファスナーテープ各々に設けられている、と良い。
【００１５】
前記消臭テープが、当該スライドファスナーのファスナースライダーの裏面の凹部に設けられている、と良い。消臭テープの位置が変更自在である。
【００１６】
前記ファスナースライダーが、前記凹部からの前記消臭テープの離脱を規制する規制部材を備えており、当該規制部材は、消臭テープの一部が露呈するようにファスナースライダーに固定されている、と良い。
【００１７】
前記消臭テープは、消臭成分を含有した樹脂層を少なくとも含む、と良い。熱的な固着に適する。
【００１８】
当該スライドファスナーの一組のファスナーテープは、それぞれ、表面及び裏面を有し、対向する内側縁部には、一対のファスナーエレメントが設けられており、当該スライドファスナーのファスナースライダーは、当該ファスナースライダーの引手取付部が前記ファスナーテープの表側に配されるように一対の前記ファスナーエレメントに挿通されている、と良い。
【００１９】
本発明に係るスライドファスナーは、芳香性を有する芳香テープが裏面に設けられている。このスライドファスナーの効果は、上述の場合と同様に理解することができる。
【００２０】
本発明に係る物品は、上述のいずれかに記載のスライドファスナーが縫着された物品であって、前記スライドファスナーの開閉により物の出し入れが可能である。
【考案の効果】
【００２１】
本考案によれば、より簡便な態様でスライドファスナーに消臭及び／又は芳香機能を付与することができる。
【図面の簡単な説明】
【００２２】
【図１】本考案の第１実施形態に係る鞄を示す概略的な斜視図である。
【図２】本考案の第１実施形態に係るスライドファスナーの概略表面図である。
【図３】本考案の第１実施形態に係るスライドファスナーの概略裏面図である。
【図４】本考案の第１実施形態に係るスライドファスナーの概略断面模式図である。
【図５】本考案の第１実施形態に係るスライドファスナーの製造工程図である。
【図６】本考案の第２実施形態に係るスライドファスナーの概略裏面図である。
【図７】本考案の第３実施形態に係るスライドファスナーの概略表面図である。
【図８】本考案の第３実施形態に係るスライドファスナーの概略部分断面図である。
【図９】本考案の第４実施形態に係るスライドファスナーの概略表面図である。
【図１０】本考案の第４実施形態に係るスライドファスナーの概略裏面図である。
【図１１】本考案の第５実施形態に係るファスナースライダーの概略斜視図である。
【図１２】本考案の第５実施形態に係るファスナースライダーの部分的な分解断面模式図である。
【図１３】本考案の第６実施形態に係るスライドファスナーの概略裏面図である。
【考案を実施するための形態】
【００２３】
以下、図面を参照しつつ、本考案の実施形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、考案説明を主目的とするものであり、適宜、簡略化されている。
【００２４】
スライドファスナーの「表」、「裏」は、（１）スライドファスナーが縫着した物品基準、又は（２）スライドファスナー基準で把握可能である。
【００２５】
上記（１）基準の場合、「表」は、閉じたスライドファスナーが縫着した物品から同スライドファスナーが露呈する側であり、「裏」は、閉じたスライドファスナーが縫着した物品から同スライドファスナーが露呈しない側である。例えば、スライドファスナーが縫着した物品が洋服／鞄／袋であるならば、「表」は、洋服／鞄／袋の外側を意味し、「裏」は、洋服／鞄／袋の内側を意味する。
【００２６】
上記（２）基準の場合、スライドファスナーのファスナースライダー基準で「表」、「裏」を把握することが簡便である。端的には、ファスナースライダーの引手が設けられる側が「表」であり、ファスナースライダーの引手が設けられない側が「裏」である。換言すれば、引手が取り付けられる引手取付柱が設けられる側が「表」であり、引手取付柱が設けられていない側が「裏」である。
【００２７】
以下の説明では、「長手方向」、「幅方向」は、長尺かつ所定幅のスライドファスナーを前提／基準として用いる場合があり、「長手方向」は、スライドファスナーの長手方向であり、「幅方向」は、スライドファスナーの幅方向である。「長手方向」は、ファスナースライダーの移動方向にも等しく、「幅方向」は、ファスナーテープの面に沿った方向且つ、ファスナースライダーの移動方向を横切る方向にも等しい。スライドファスナーの幅方向においてファスナーエレメント側を「内側」と呼び、その反対側を「外側」と呼ぶ場合がある。
【００２８】
＜第１実施形態＞
図１乃至図５を参照して第１実施形態について説明する。図１は、鞄を示す概略的な斜視図である。図２は、スライドファスナーの概略表面図である。図３は、スライドファスナーの概略裏面図である。図４は、スライドファスナーの概略断面模式図である。図５は、スライドファスナーの製造工程図である。
【００２９】
図１に示すように、２つのスライドファスナー１００が鞄（物品）２００に縫着されており、各ファスナーの開閉により物の出し入れが可能になる。鞄２００内には、多種多様な物品が入れられるが、臭気を放つ物品を入れる場合がある。例えば、旅行時には鞄２００内に靴又は使用済みの下着を入れることがある。この場合、臭気を放つ物品からの臭いが鞄２００内から外へ漏れることを抑制するために、消臭又は芳香剤を鞄２００内に入れることが簡便である。しかしながら、そのような作業は手間がかかり、またその作業を忘れ又は怠ることも予想される。他方、鞄２００自体が消臭機能を具備していれば、そのような問題の発生を回避することができ、鞄２００自体の商品価値を高めることができる。
【００３０】
図２及び図３にスライドファスナー１００の表及び裏面図を各々示す。図２に示すように、スライドファスナー１００は、ファスナースライダー９０、一組のファスナーテープ８１、一組のファスナーエレメント７１、下止め６１、及び上止め５１を有する。なお、スライドファスナー１００は、ファスナーテープ８１にファスナーエレメント７１が固定された一組のファスナーストリンガー９９を含む。
【００３１】
スライドファスナー１００は、長尺かつ一定幅を有する長尺体である。一組のファスナーテープ８１ａ、８１ｂの対向する内側縁部には、一対のファスナーエレメント７１ａ、７１ｂが設けられ、これに対してファスナースライダー９０が挿通される。ファスナースライダー９０をファスナーエレメント７１に沿って摺動させることにより、各ファスナーエレメント７１ａ、７１ｂを噛み合わせ・分離させることができる。
【００３２】
ファスナーストリンガー９９を構成するファスナーテープ８１は、織物、編物、又は不織布であるが、これに限らず、その他のシート状部材であっても良い。
【００３３】
ファスナーエレメント７１は、ファスナーテープ８１の内側端部に縫着固定されている。ファスナーエレメント７１は、ここでは、連続したコイルから成り、これをコイルエレメントと呼ぶこともできる。ファスナーエレメント７１の噛合部は、主としてファスナーテープ８１から突出した部分である。ファスナーエレメント７１の噛合部は、変形により線幅が広くなっており、これにより、ファスナーエレメント同士の噛み合わせが確保される。なお、ファスナーエレメント７１は、このようなコイルの態様に限らず、個々に分離した噛合エレメント（金属製の噛合エレメント、樹脂製の噛合エレメント等）の列であっても構わない。列は、直線列に限らず、ジグザグなどの任意の態様を包含する。
【００３４】
下止め６１は、一般的なものであり、一組のファスナーエレメント７１を覆うように一組のファスナーテープ８１に跨って固定されている。上止め５１は、一般的なものであり、一組のファスナーエレメント７１ａ、７１ｂに対応する一組の下止め５１ａ、５１ｂを有する。各下止めは、ファスナーテープ８１の内側端を囲むようにファスナーテープ８１の表裏面に固定されている。
【００３５】
ファスナースライダー９０は、一つの引手が表側に設けられた一般的なスライダーである。ファスナースライダー９０は、上翼板と下翼板とが連結柱により連結され、上翼板と下翼板との間にＹ字状のエレメント案内路が設けられている。引手は、上翼板上に回動自在に設けられている。図２には、スライダー胴体９２、引手取付部９４、引手９８が示されている。ファスナースライダーのタイプは任意であり、引手のロック機能を具備するタイプ、複数の引手を持つタイプ等であっても良い。
【００３６】
図３に示すように、ファスナーテープ８１ｂの裏面には、長尺かつ一定幅の消臭テープ４０が設けられている。好適には、ファスナーテープ８１に消臭テープ４０が熱的に固着できる材料で消臭テープ４０を構成し、これにより、スライドファスナー１００の製造効率を確保する。
【００３７】
図３に示すように、消臭テープ４０は、スライドファスナー１００の長手方向に延在し、かつスライドファスナー１００の幅方向内側寄りに固着されている。消臭テープ４０は、下止め６１よりも更に下側へ延在してファスナーテープ８１ｂの上端に至り、上止め５１よりも更に上側へ延在してファスナーテープ８１ｂの下端に至る。好ましくは、消臭テープ４０は、ファスナーテープ８１ｂの長手方向において下止め６１と上止め５１との間に亘って存在し、より好ましくは、ファスナーテープ８１ｂの長手方向の上端と下端との間を連続的に接続する。消臭テープ４０の延在長を十分に確保することにより、より十分な消臭効果を得ることができる。より好ましい後者の場合、個々に分離する前のファスナーチェーンに消臭テープを固着して効率的に製造することができる。
【００３８】
消臭テープ４０は、例えば、化学的作用により消臭作用を発揮する任意のシート状部材である。一例を挙げれば、消臭テープ４０は、無機物微粒子と任意の銀成分を樹脂に練り込み、これをフィルム化し、このフィルムを基材に熱溶着したものである。無機物微粒子は、悪臭を吸着して中和し、これにより臭気が低減される。無機物微粒子が樹脂に練り込まれているため、時間経過後も消臭機能の持続を図ることができる。樹脂は、例えば、ポリウレタン系の樹脂であるが、これに限られるべきものではない。基材は、例えば、繊維等の織物であるが、これに限られるべきものではない。熱的な固着に適する消臭テープを確保するという観点からすれば、消臭テープは、少なくとも消臭成分を含有した樹脂層を含んで構成される。基材を更に含むことにより、消臭テープの取り扱いが容易になる。
【００３９】
悪臭成分として、アンモニア、酢酸、イソ吉草酸、硫化水素、ノネナール、インドール、アセトアルデヒド、及びトリメチルアミンが例示される。消臭テープ４０内の無機物微粒子と銀成分の作用により、これらの悪臭成分を無臭化することができる。消臭テープ４０は、例えば、日本ダム株式会社から販売されているデオドラントテープ（登録商標）である。
【００４０】
図３に示すように、消臭テープ４０の幅Ｗ４０は、好ましくは、ファスナーテープ８１ｂの幅Ｗ８１以下である。図４に示すように、ファスナーテープ８１ｂの裏面は、部分的に生地により覆われることがある。従って、消臭テープ４０の露出面積の減少を回避するべく、幅Ｗ８１＞幅Ｗ４０を満足することが望ましい。
【００４１】
消臭テープ４０は、ファスナーテープ８１ｂの内側縁に対して間隔Ｗ８１ａをあけて設けることが望ましい。間隔Ｗ８１ａは比較的狭く、好適には間隔Ｗ８１ａ≦幅Ｗ４０である。これにより、ファスナーエレメント７１に十分近接して消臭テープ４０を設け、ファスナー開口からの悪臭の漏れを抑制することができる。間隔Ｗ８１ａを確保することで、ファスナーエレメント７１によって、ファスナーテープ８１に対して消臭テープ４０をローラー等で熱的に固着することが妨げられることもない。
【００４２】
図４にスライドファスナー１００の長手方向に直交するある平面におけるスライドファスナー１００の概略的な断面構成を示す。なお、図４に示すとき、ファスナーテープ８１の表裏には生地１２０が縫着されている。
【００４３】
図４に示すように、ファスナーエレメント７１を構成するコイルは、取付糸７５によりファスナーテープ８１の内側端部に縫着されている。ファスナーテープ８１の表裏面には、端部がＵ字状に折り返された各生地１２０が一組の並走した縫目１１０により縫着されている。
【００４４】
図４に示すように消臭テープ４０上には、下側生地１２０の折返し部分が重ね合わされており、下側生地１２０ｄの内側位置Ｐ１２０が消臭テープ４０上にある。生地１２０ｄがファスナーテープ８１ａへ縫着されることにより、生地１２０ｄとファスナーテープ８１ａとの間に消臭テープ４０が挟み込まれる。これにより、ファスナーテープ８１ａからの消臭テープ４０の剥離を効果的に抑制することができる。また、仮に、消臭テープ４０がファスナーテープ８１ａから剥離したとしても、スライドファスナー１００から完全に消臭テープ４０が脱落することを効果的に抑制することができる。
【００４５】
更に、図４に示す場合、縫目１１０により消臭テープ４０が生地１２０に対して縫着されている。これにより、ファスナーテープ８１ａに対して消臭テープ４０をより十分に固定することができる。
【００４６】
図４に示す場合、生地１２０ｄにより消臭テープ４０が空気に晒される面積が低減してしまうが、消臭テープ４０を幅方向内側へ偏らせて配置することにより消臭効率の低減を補うことができる。図４に示すとき、ファスナーエレメント列の外端位置Ｐ７１は、消臭テープ４０の内端位置と略同じである。
【００４７】
図５を参照してスライドファスナー１００の製造方法について説明する（スライドファスナーの製造方法に関しては、一例として特開平３−９９６０２号公報に詳細に開示されており、同文献の開示は参照によりここに組み込まれる）。
【００４８】
図５に示すように、所定の長さに切断される前の非常に長尺なファスナーチェーン１００Ｚに対して消臭テープの連続体４０Ｚを連続的に供給し、ファスナーテープに対して消臭テープを熱的に固着、端的には溶着する。図５に示すように、一組の熱溶着用ローラー３０２、３０３の間へファスナーチェーン１００Ｚと消臭テープの連続体４０Ｚが供給され、これらの積層体が各熱溶着用ローラー３０２、３０３の隙間を通過する過程で加熱圧縮され、これにより、ファスナーチェーン１００Ｚに対して消臭テープの連続体４０Ｚが溶着する。なお、消臭テープ４０をファスナーテープ８１に固着する態様は任意であり、溶着、圧着、接着、縫着等が考えられる。
【００４９】
図５に示すファスナーチェーン１００Ｚは、好ましくは、下止め、上止め、スライダー、場合によっては開離嵌挿具等の後付の構成部品が予め取り付けられたものである。より好ましくは、図５に示すファスナーチェーン１００Ｚは、その構成部品取付後にファスナーチェーン全体が染色されたものである。図５に示すファスナーチェーン１００Ｚは、少なくともファスナーストリンガーを含むが、上述の構成部品を含まなくても良い。
【００５０】
上述の熱溶着による固着工程後、任意の付加的な工程（例えば、後述の実施形態で説明する補強テープの固着）を経て、消臭テープの連続体４０Ｚが裏面に固着したファスナーチェーン１００Ｚが切断機３０５により切断される。このような固着及び切断工程を経ることにより、図３を参照して説明したように、ファスナーテープ８１の上端及び下端間の範囲に亘って連続する消臭テープ４０を得ることができる。
【００５１】
本実施形態では、鞄２００内の臭い対策として、スライドファスナー１００自体に消臭テープを設ける。鞄２００内で発生する臭いは、消臭テープにより無臭化され、これにより、鞄２００内の異臭の程度が減じ、鞄２００内からの異臭が鼻につくことが抑制される。鞄２００を製造販売者は、本実施形態のスライドファスナー１００を活用することにより既存の工程を何ら変更又は既存の工程に対して付加的な工程を付加することなく鞄２００に消臭機能を付与することができる。なお、鞄２００の製造者又は鞄２００の購入者が、別の方法で消臭対策を更に施しても良いことは言うまでもない。
【００５２】
本実施形態では、スライドファスナー１００の長手方向に沿って同方向に長尺な消臭テープ４０をファスナーテープ８１に固着することにより、消臭テープ４０が作用する範囲を広範囲に確保することができる。図１に示す場合、鞄２００の主な開閉口を構成するスライドファスナー１００が鞄２００の最大幅の略全域に存在し、これにより、十分な消臭効果を得ることができる。
【００５３】
本実施形態では、消臭テープ４０をファスナーエレメント７１ｂ寄りに設けることにより、噛合状態の一組のファスナーエレメント７１の隙間から臭いが外部へ放たれることをより十分に抑制することができる。
【００５４】
＜第２実施形態＞
図６を参照して第２実施形態について説明する。図６は、スライドファスナーの概略裏面図である。図６に示すように、本実施形態では、一組のファスナーテープ８１の各々に消臭テープ４０を設ける。これにより、一つの消臭テープ４０を用いる場合と比較して略２倍の消臭効果を得ることができる。本実施形態においても、第１実施形態で説明した効果を同様に得ることができる。なお、消臭テープを３つ以上設けて、より十分な消臭効果を確保しても良い。
【００５５】
＜第３実施形態＞
図７及び８を参照して第３実施形態について説明する。図７は、スライドファスナーの概略表面図である。図８は、スライドファスナーの概略部分断面図である。本実施形態では、スライドファスナー１００の端部を補強テープ３０により補強する際、補強テープ３０により消臭テープ４０を部分的に被覆する。これにより、ファスナーテープ８１に対する消臭テープ４０の一体性を増すことができ、ファスナーテープ８１からの消臭テープ４０の剥離を効果的に抑制することができる。補強テープ３０は、通常、樹脂材料の溶着によりファスナーテープ８１に対して固着される（特開２００３−１８９９１３号は、補強テープの溶着に関する製法を開示し、この文献の開示内容は、ここに参照により組み込まれる）。なお、図７及び図８に示す例では、上述の下止め６１に代えて、開離嵌挿具（蝶棒６５、箱体６６、及び箱棒６７）が採用されている。
【００５６】
図７に示すように、蝶棒６５が、ファスナーテープ８１ａの内測縁に取り付けられている。箱体６６及び箱棒６７が、ファスナーテープ８１ｂの内測縁に取り付けられている。図８は、図７の点線で示す範囲近傍のスライドファスナー１００の概略的な断面図を示す。図８に示すように、ファスナーテープ８１の裏面上の消臭テープ４０の下端部分は、補強テープ３０により被覆されている。
【００５７】
ファスナーテープ８１に対して補強テープ３０を溶着するタイミングは任意である。例えば、図５を参照して説明したファスナーチェーン１００Ｚに対する消臭テープの連続体４０Ｚの熱溶着後、スライドファスナー１００の上端及び下端となるべき範囲に補強テープを溶着し、その後、個々のスライドファスナー１００に切断する。ファスナーチェーン１００Ｚに対する消臭テープの連続体４０Ｚの熱溶着後、個々のスライドファスナー１００に切断し、スライドファスナー１００の上端及び下端に補強テープを溶着しても構わない。なお、下端のみではなく、下端と上端に補強テープを施し、各端部の２箇所で消臭テープ４０を部分的に被覆することが望ましい。消臭テープ４０を被覆する箇所は、２箇所に限らず、３か所以上であっても良い。端部に限らず、下端と上端間の中間位置で補強テープにより消臭テープを被覆しても構わない。
【００５８】
＜第４実施形態＞
図９及び１０を参照して第４実施形態について説明する。図９は、スライドファスナーの概略表面図である。図１０は、スライドファスナーの概略裏面図である。本実施形態では、図９及び図１０から明らかなように、ファスナーエレメント７１がファスナーテープ８１の裏面上に設けられている。このような場合であっても上述の実施形態と同様の効果を得ることができる。更に、第４実施形態においては、消臭テープ４０は、ファスナーテープ８１のうち、ファスナースライダー９０の移動範囲外に固着される。換言すれば、消臭テープ４０は、ファスナースライダー９０の移動範囲とオーバーラップしない態様でファスナーテープ８１に設けられる。なお、ファスナースライダー９０の移動範囲とは、スライドファスナー１００の開閉のために移動するファスナースライダー９０の移動空間を仮想的に連続させた空間である。このような構成を採用することで、ファスナースライダー９０の摺動動作によって、ファスナースライダー９０のフランジと消臭テープ４０が接触することを回避でき、消臭テープ４０がファスナーテープ８１から剥がれ落ちてしまうことを抑制することができる。
【００５９】
＜第５実施形態＞
図１１及び１２を参照して第５実施形態について説明する。図１１は、ファスナースライダーの概略斜視図である。図１２は、ファスナースライダーの部分的な分解断面模式図である。本実施形態では、ファスナースライダー９０の裏面の凹部に消臭テープを設ける。このような場合であっても、スライドファスナー１００に対して消臭機能を付与することができる。ファスナースライダー９０を消臭したい場所近傍へ移動することにより、効率的に消臭することが可能になる。
【００６０】
図１１に示すように、ファスナースライダー９０のスライダー胴体９２の下翼板９２ｂの面には、凹部９１１が設けられている。この凹部９１１には消臭テープ４０が収容されている。ファスナースライダー９０は、凹部９１１の一部を覆う状態でスライダー胴体９２に固定される取付部（規制部）９１２を有し、これにより、凹部９１１からの消臭テープ４０の離脱が抑制される。取付部９１２は、ファスナースライダー９０の移動方向に沿って延在する棒状部材であり、消臭テープ４０の一部が露呈するようにファスナースライダー９０に固定される。取付部９１２を熱伝導性が低い非金属の樹脂材料で構成することにより、ファスナースライダー９０が金属製であっても、下翼板９２ｂがヒトの肌と接触してヒトに冷感を与えることを抑制することもできる。
【００６１】
図１２に示すように、取付部９１２は、断面視Ｕ字状の係合端部９１２ａ、９１２ｂを有し、その下翼板９２ｂに臨む面には、凹部９１２ｃが設けられている。凹部９１２ｃは、消臭テープ４０を部分的に収容可能であり、これにより、消臭テープ４０に厚みを持たせることができ、又はより厚みのある消臭テープ４０の保持が許容される。
【００６２】
下翼板９２ｂは、取付部９１２の係合端部９１２ａ、９１２ｂに対応する係合凹部９２２ａ、９２２ｂを有する。係合凹部９２２ａは、取付部９１２の係合端部９１２ａを受け入れ保持する。係合凹部９２２ｂは、取付部９１２の係合端部９１２ｂを受け入れ保持する。図１２から把握できるように、係合凹部と係合端部間の係合は、嵌め合いにより為される。取付部９１２は、弾性を有する樹脂等の材料から成り、上述の嵌め合いを無理なく行うことができる。
【００６３】
図１２に示すように、消臭テープ４０の外周端部をテーパー付けても良く、これに応じて凹部９１１の側面をテーパー付けても良い。
【００６４】
＜第６実施形態＞
図１３を参照して第６実施形態について説明する。図１３は、スライドファスナーの概略裏面図である。本実施形態では、上述の実施形態で説明した消臭テープ４０に代えて芳香性を有する芳香テープ４５を用いる。この場合、消臭効果ではなく芳香効果を得ることができ、良い香りにて悪臭を打ち負かすことができる。芳香テープを活用した場合であって、上述の実施形態で説明したものと同様又は類似の効果を得ることができる。芳香テープを第５実施形態のようにファスナースライダー９０に設けても良い。なお、芳香テープと消臭テープを同一のスライドファスナーに併用しても良い。
【００６５】
上述の教示を踏まえると、当業者をすれば、各実施形態に対して様々な変更を加えることができる。スライドファスナーの具体的な構成は任意であり、防水性等を有するものであってもよい。
【００６６】
（本願に開示の製造方法）
製造方法の発明として把握可能な上述の製造方法は、（１）ファスナーテープにファスナーエレメントを設けてファスナーチェーンを用意し、（２）必要に応じて、下止め、上止め、場合によっては開離嵌挿具等の後付構成部品をファスナーチェーンに取り付け、（３）必要に応じて、ファスナーチェーンを染色し、（４）ファスナーチェーンに対して消臭及び／又は芳香テープを連続的に供給してファスナーテープに消臭テープを固着し、（５）消臭及び／又は芳香テープがファスナーテープに固着したファスナーチェーンを個々に切断する。
【００６７】
上述の場合、簡素な工程にてスライドファスナーに消臭及び／又は芳香機能を付与することができ、また、消臭及び／又は芳香テープの固着後の工程での消臭及び／又は芳香テープの機能劣化を回避できる。ファスナーテープの上端及び下端間の範囲で十分な消臭及び／又は芳香テープの延在長を確保することができ、これにより、十分な消臭及び／又は芳香機能を確保することができる。
【００６８】
より好ましくは、切断前、スライドファスナーの上端及び／又は下端となるべき範囲に補強テープを溶着により固着する。又は、切断後、スライドファスナーの上端及び／又は下端に補強テープを溶着により固着する。これにより、ファスナーテープに対する消臭又は芳香テープの一体性を増してそのテープの剥離を抑制することができる。消臭テープと芳香テープの両方を同一のスライドファスナーに固着しても良く、各々をスライドファスナーの表裏各々に個別に固着しても良い。
【００６９】
以下、スライドファスナーの製造方法に関して付記する。
（付記１）
ファスナーテープに少なくともファスナーエレメントが設けられたファスナーチェーンに対して消臭及び／又は芳香テープを連続的に供給して前記ファスナーテープに前記消臭及び／又はテープを固着し、
前記消臭及び／又は芳香テープが前記ファスナーテープに固着した前記ファスナーチェーンを個々に切断する、スライドファスナーの製造方法。
【００７０】
（付記２）
前記固着工程の前、下止め、上止め、及び開離嵌挿具の少なくとも１つの構成部品を前記ファスナーチェーンに取り付ける工程を更に含む、付記１に記載のスライドファスナーの製造方法。
【００７１】
（付記３）
前記固着工程の前、前記ファスナーチェーンを染色する工程を更に含む、付記１又は２に記載のスライドファスナーの製造方法。
【００７２】
（付記４）
前記ファスナーテープに補強テープを固着して、前記ファスナーテープ上の前記消臭及び／又は芳香テープを前記補強テープで部分的に被覆する工程を更に含む、付記１乃至３のいずれか一項に記載のスライドファスナーの製造方法。
【符号の説明】
【００７３】
２００    ：鞄
１００    ：スライドファスナー
１２０    ：生地
３０      ：補強テープ
４０      ：消臭テープ
４５      ：芳香テープ
６５      ：蝶棒
６６      ：箱体
６７      ：箱棒
７１      ：ファスナーエレメント
７５      ：取付糸
８１      ：ファスナーテープ
９０      ：ファスナースライダー
９２      ：スライダー胴体
９２ｂ    ：下翼板
９４      ：引手取付部
９８      ：引手
９１１    ：凹部
９１２    ：取付部
【図１】
0003176293.tif 000003
【図２】
0003176293.tif 000004
【図３】
0003176293.tif 000005
【図４】
0003176293.tif 000006
【図５】
0003176293.tif 000007
【図６】
0003176293.tif 000008
【図７】
0003176293.tif 000009
【図８】
0003176293.tif 000010
【図９】
0003176293.tif 000011
【図１０】
0003176293.tif 000012
【図１１】
0003176293.tif 000013
【図１２】
0003176293.tif 000014
【図１３】
0003176293.tif 000015